(57)【要約】      （修正有）【課題】折り畳んだ状態でも携帯電話などの小物を簡単に収納できる折り畳み式バッグを提供する。【解決手段】折り畳み式バッグは、折り畳んだ時に細長状の袋体１０を有し、袋体の相対する両側に第一側面１１及び第二側面１２が設けられ、第一側面にチャック１３及び取っ手１４が設けられ、第二側面の一端近傍に第一固定部材１５が、他端近傍に第二固定部材１６が設けられる。袋体は山折にして第一固定部材が第二固定部材に嵌め込まれ、チャック及び取っ手が外部表面に露出する。第一固定部材を第二固定部材から取り外さなくても、チャックを開けて携帯電話や、鍵、財布などの小物を入れることができる。【選択図】図３
0003196540.tif 000002
【実用新案登録請求の範囲】
【請求項１】
折り畳んだ時に細長状の袋体を有し、該袋体の相対する両側に第一側面及び第二側面が設けられ、該第一側面にチャック及び取っ手が設けられ、該第二側面の一端近傍に第一固定部材が、他端近傍に第二固定部材が設けられ、
その内、該袋体は山折にして第一固定部材が第二固定部材に嵌め込まれ、該チャック及び取っ手が外部表面に露出することを特徴とする折り畳み式バッグ。
【請求項２】
前記第一固定部材がオスボタン、第二固定部材がメスボタンであることを特徴とする請求項１に記載の折り畳み式バッグ。
【請求項３】
前記第一固定部材が面ファスナーのフック、第二固定部材が面ファスナーのループであることを特徴とする請求項１に記載の折り畳み式バッグ。
【考案の詳細な説明】
【技術分野】
【０００１】
本考案は、特に展開しても折り畳んでもバックとして使用できる折り畳み式バッグに関するものである。
【背景技術】
【０００２】
折り畳み式バッグとは、展開すれば体積が大きくなって多くの荷物を収納することができると共に、折り畳めば体積を縮小させた状態で手軽に収納または持ち運ぶことができるので、使用上に非常に便利である。
既存の折り畳み式バッグは、袋状の本体を備え、該本体の内部に収容空間が設けられ、上部に開口が形成され、該開口の両側にチャックが設けられ、該本体の開口近傍に取っ手及びカバーが設けられ、該カバーの内面に第一固定部が設けられ、該本体の両側に第二固定部及び第三固定部が設けられる設計である。
【０００３】
既存の折り畳み式バッグを展開して使用する時は、カバーがチャックをカバーすると共に、第一固定部を第二固定部に嵌め込み、一方、折り畳む時は、左右の第一部分及び第三部分を、中央の第二部分へ折り畳んで、折り畳んだ第一部分、第二部分、第三部分を上方へ巻き取って、カバーがチャックをカバーすると共に、第一固定部を三固定部に係合すると、バッグを折り畳んで収納することができる。
【考案の概要】
【考案が解決しようとする課題】
【０００４】
しかしながら、既存の折り畳み式バッグは折り畳むと、そのカバーがチャックの左右部分をカバーすると共に、第一固定部により第三固定部に嵌め込まれることから、この状態では、チャックを開けることができないので、物を収納することは不可能となる。
【課題を解決するための手段】
【０００５】
本考案に係る折り畳みバッグは、
折り畳んだ時に細長状の袋体を有し、該袋体の相対する両側に第一側面及び第二側面が設けられ、該第一側面にチャック及び取っ手が設けられ、該第二側面の一端近傍に第一固定部材が、他端近傍に第二固定部材が設けられ、
その内、該袋体は山折にして第一固定部材が第二固定部材に嵌め込まれ、該チャック及び取っ手が外部表面に露出するものである。
【０００６】
かかる折り畳み式バッグにおいて、前記第一固定部材がオスボタン、第二固定部材がメスボタンであってもよい。
【０００７】
かかる折り畳み式バッグにおいて、前記第一固定部材が面ファスナーのフック、第二固定部材が面ファスナーのループであってもよい。
【考案の効果】
【０００８】
前記構造によれば、折り畳み式バッグを折り畳んで収納した時、第一固定部材を第二固定部材から取り外さなくても、チャックを開くことができ、携帯電話や、鍵、めがねなどの小物を入れることができる。また、折り畳み式バッグを展開する時は、第一固定部材を第二固定部材から取り外すと、袋体が自らの重さにより展開されることから、袋体内部の収容空間が広くなり、多くの物を収容できるようになるので、実用性が非常に高い。
【０００９】
一方、本考案に係る折り畳み式バッグを折り畳んで収納する時は、袋体の両端を引っ張って細長状且つ平坦状にして山折にし、第一固定部材を第二固定部材に嵌め込むと、袋体の体積を縮小することができ、収納や持ち運びが容易になるので、実用性に優れている。
【図面の簡単な説明】
【００１０】
【図１】本考案に係る折り畳み式バッグの斜視図である。
【図２】本考案に係る折り畳み式バッグの収納状態でチャックを開けて携帯電話を収納する状態を示す説明図である。
【図３】本考案に係る折り畳み式バッグの第一固定部材を第二固定部材から取り外した状態を示す斜視図である。
【図４】本考案に係る折り畳み式バッグにおいて、袋体を細長状に伸ばして自らの重さにより展開させた状態示す側面視平面図である。
【図５】本考案に係る折り畳み式バッグを展開して使用した状態を示す斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図３に示すように、本考案に係る折り畳み式バッグは、折り畳んだ時に平坦状且つ細長状の袋体１０を有し、該袋体１０の相対する両側に第一側面１１及び第二側面１２が設けられ、該第一側面１１にチャック１３及び取っ手１４が設けられ、該第二側面１２の両端近傍に第一固定部材１５及び第二固定部材１６が設けられる。
本考案に係る折り畳み式バッグを使用する時は、チャック１３及び取っ手１４が表面側となるように袋体１０を山折にして第一固定部材１５を第二固定部材１６に係合させる。
【００１３】
尚、前記第一固定部材１５及び第二固定部材１６は、オスボタン及びメスボタンからなってもよく、面ファスナーフック及び面ファスナーループからなってもよい。
【００１４】
図４に示すように、本考案に係る折り畳み式バッグを展開する時は、第一固定部材１５及び第二固定部材１６を取り外して、袋体１０を細長状に伸ばし、袋体１０の自らの重さにより展開させ、袋体１０を広げて内部に収容空間を設ければ、展開作業が完了となる。
一方、本考案に係る折り畳み式バッグを折り畳んで収納する時は、袋体１０における、第一固定部材１５の近傍の一端と第二固定部材１６の近傍の他端とをそれぞれ反対する方向に引っ張って、袋体１０を細長状且つ平坦状に伸ばして山折にし、第一固定部材１５を第二固定部材１６に嵌め込むと、袋体１０の体積が縮小して収納作業が完了となる。
【００１５】
図２に示すように、本考案に係る折り畳み式バッグが収納されている状態の時、チャック１３及び取っ手１４は外部に露出していることから、使用者が取っ手１４を持ってバッグを持ち運ぶことができ、また、この状態でチャック１３を開けることもできるので、第一固定部材１５を第二固定部材１６から取り外さなくても、チャック１３を開けて携帯電話や、鍵、財布などの小物２０を入れることができる。
【００１６】
図５に示すように、本考案に係る折り畳み式バッグを展開すると、袋体１０内の収容空間が広くなることから、大きい荷物２０（例えば、ペットボトルや、魔法瓶、タッパーなど）を収納することができる。
【００１７】
したがって、本考案に係る折り畳み式バックは、展開しても折り畳んでも、物２０を収納することができるので、実用性が高く、また、展開や折り畳み作業が簡単で、容易に使用することができ、収納や持ち運びも便利である。
【符号の説明】
【００１８】
１０       袋体
１１       第一側面
１２       第二側面
１３       チャック
１４       取っ手
１５       第一固定部材
１６       第二固定部材
２０       小物、荷物、物
【図１】
0003196540.tif 000003
【図２】
0003196540.tif 000004
【図３】
0003196540.tif 000005
【図４】
0003196540.tif 000006
【図５】
0003196540.tif 000007